【手続補正書】
【提出日】平成23年11月30日(2011.11.30)
【手続補正１】
【補正対象書類名】明細書
【補正対象項目名】０００５
【補正方法】変更
【補正の内容】
【０００５】
請求項１記載の発明に係るプラットホームへの可動式ホーム柵の設置方法は、
プラットホームの先端部の化粧板を撤去し、前記プラットホームの先端部に対して仮覆工板を設置する第一覆工工程と、
前記第一覆工工程の後に、前記仮覆工板を撤去して、前記プラットホームの先端部に対してホーム柵のベースプレートを配置し、当該ベースプレートの配置後、前記仮覆工板を設置するベースプレート配置工程と、
前記ベースプレート配置工程の後に、前記仮覆工板を撤去し、前記ベースプレート上に分割自在な分割式仮覆工板を設置し、その他の前記プラットホームの先端部に対しては新たな化粧板を設置する第二覆工工程と、
前記第二覆工工程の後に、前記分割式仮覆工板の一部を撤去して前記ベースプレートにおける前記ホーム柵の取付箇所を露出し、当該取付箇所に前記ホーム柵を設置するホーム柵設置工程と、
前記ホーム柵設置工程の後に、前記プラットホームの先端部から残りの前記分割式仮覆工板を撤去し、当該撤去した箇所に新たな化粧板を設置する第三覆工工程とを含むことを特徴としている。
【手続補正２】
【補正対象書類名】明細書
【補正対象項目名】０００６
【補正方法】変更
【補正の内容】
【０００６】
請求項２記載の発明は、請求項１記載のプラットホームへの可動式ホーム柵の設置方法において、
前記分割式仮覆工板は、前記ベースプレートを覆う主覆工部と、前記主覆工部の両側方に配置された副覆工部とを備え、
前記ホーム柵設置工程は、
前記主覆工部を撤去して、前記ベースプレートの前記取付箇所に前記ホーム柵を設置する柵設置工程と、
前記柵設置工程の後に、前記ベースプレートの位置調整を行う位置調整工程と、を含むことを特徴としている。
【手続補正３】
【補正対象書類名】明細書
【補正対象項目名】０００７
【補正方法】変更
【補正の内容】
【０００７】
請求項３記載の発明は、請求項２記載のプラットホームへの可動式ホーム柵の設置方法において、
前記分割式仮覆工板の前記主覆工部は、前記ベースプレートの前記取付箇所を覆う取付箇所覆工部と、前記取付箇所覆工部の周囲に配置され、前記副覆工部に係合する周囲覆工部とを備え、
前記柵設置工程は、前記主覆工部の前記取付箇所覆工部のみを撤去して、前記ベースプレートの前記取付箇所に前記ホーム柵を設置し、
前記位置調整工程は、前記周囲覆工部を残したままの状態で前記ベースプレートの位置調整を行い、
前記第三覆工工程は、前記残りの前記分割式仮覆工板として前記周囲覆工部及び前記副覆工部を撤去することを特徴としている。
【手続補正４】
【補正対象書類名】明細書
【補正対象項目名】０００８
【補正方法】変更
【補正の内容】
【０００８】
請求項４記載の発明に係る設置具セットは、
プラットホームの先端部から化粧板が撤去された後及び前記プラットホームの先端部に可動式ホーム柵のベースプレートが配置された後に、前記プラットホームの先端部に設置され、なおかつ前記ベースプレートの収容空間を有する複数の仮覆工板と、
前記ベースプレートの配置後、前記仮覆工板が撤去されると、前記プラットホームの先端部に対して設置される分割自在な分割式仮覆工板とを備え、
前記分割式仮覆工板は、前記ベースプレートを覆う主覆工部と、前記プラットホームの先端部の基準位置に固定され、当該主覆工部の両側方に配置される副覆工部とを備えることを特徴としている。
請求項５記載の発明は、請求項４記載の可動式ホーム柵の設置具セットにおいて、
前記分割式仮覆工板が前記仮覆工板として用いられることを特徴としている。
【手続補正５】
【補正対象書類名】明細書
【補正対象項目名】００１６
【補正方法】変更
【補正の内容】
【００１６】
分割式仮覆工板６は、上面視長方形状に形成されている。この分割式仮覆工板６は五分割式のものである。具体的には図１７に示すように、分割式仮覆工板６は、ベースプレート５を覆うベースプレート覆工部（主覆工部）６１と、ベースプレート覆工部６１の両側方に配置され、当該ベースプレート覆工部６１を支持する一対の支持用覆工部（副覆工部）６２とを備えている。また、ベースプレート覆工部６１は、ベースプレート５の取付箇所５１を覆う略矩形板状の取付箇所覆工部６３と、取付箇所覆工部６３の周囲に配置され、支持用覆工部６２に係合する周囲覆工部６４とを備えている。周囲覆工部６４は、取付箇所覆工部６３の三辺に隣接する凹形状部６５と、取付箇所覆工部６３の残りの一辺に隣接する矩形状部６６とを有している。矩形状部６６は、凹形状部６５における取付箇所覆工部６３と連続する辺にも隣接している。また、凹形状部６５の連続する側辺６５１には、図示しないスライド部が形成されていて、このスライド部が一対の支持用覆工部６２の図示しないガイド部にスライド自在に係合している。
そして、分割式仮覆工板６は、長手方向がプラットホーム１の奥行き方向に直交する幅方向に沿うように、プラットホーム１の先端部２に配置されている。また、分割式仮覆工板６は、矩形状部６６が奥側となって、凹形状部６５が線路側となるように配置されている。
分割式仮覆工板６を設置する際には、支持用覆工部６２をプラットホーム１の先端部２の基準位置に固定する。これにより、今後各工程を行う際に支持用覆工部６２からベースプレート覆工部６１を取り外し、再度取り付ける場合においても、分割式仮覆工板６を確実に基準位置に設置することができる。
【手続補正６】
【補正対象書類名】明細書
【補正対象項目名】００３８
【補正方法】変更
【補正の内容】
【００３８】
なお、分割式仮覆工板としては、上述した分割式仮覆工板６，６Ａ以外にも、図１８に示す分割式仮覆工板６Ｂ等を用いることも可能である。具体的に説明すると、図１８に示す分割式仮覆工板６Ｂは、三分割式のものであり、ベースプレート５の取付箇所５１を覆う矩形状のベースプレート覆工部（主覆工部）６１ｂと、ベースプレート覆工部６１ｂの短辺部にそれぞれ接する一対の矩形状の支持用覆工部（副覆工部）６２ｂとを備えている。
そして、この分割式仮覆工板６Ｂを用いて、ホーム柵１０を取り付ける場合、ベースプレート覆工部６１ｂを撤去することになるが、ホーム柵１０の設置後においては当該ホーム柵１０の周囲が露出してしまうことになる。このため、図１９に示すように取付箇所５１を露出させた補助用ベースプレート覆工部６６ｂをホーム柵１０の周囲に設置する。補助用ベースプレート覆工部６６ｂは、Ｌ字状の一対の補助覆工部６７ｂ，６８ｂを有していて、外形がベースプレート覆工部６１ｂと同サイズに形成されている。そして、これら一対の補助覆工部６７ｂ，６８ｂにより形成された開口６９ｂ内にホーム柵１０が配置されるようになっている。
【手続補正７】
【補正対象書類名】特許請求の範囲
【補正対象項目名】全文
【補正方法】変更
【補正の内容】
【特許請求の範囲】
【請求項１】
プラットホームの先端部の化粧板を撤去し、前記プラットホームの先端部に対して仮覆工板を設置する第一覆工工程と、
前記第一覆工工程の後に、前記仮覆工板を撤去して、前記プラットホームの先端部に対してホーム柵のベースプレートを配置し、当該ベースプレートの配置後、前記仮覆工板を設置するベースプレート配置工程と、
前記ベースプレート配置工程の後に、前記仮覆工板を撤去し、前記ベースプレート上に分割自在な分割式仮覆工板を設置し、その他の前記プラットホームの先端部に対しては新たな化粧板を設置する第二覆工工程と、
前記第二覆工工程の後に、前記分割式仮覆工板の一部を撤去して前記ベースプレートにおける前記ホーム柵の取付箇所を露出し、当該取付箇所に前記ホーム柵を設置するホーム柵設置工程と、
前記ホーム柵設置工程の後に、前記プラットホームの先端部から残りの前記分割式仮覆工板を撤去し、当該撤去した箇所に新たな化粧板を設置する第三覆工工程とを含むことを特徴とするプラットホームへの可動式ホーム柵の設置方法。
【請求項２】
請求項１記載のプラットホームへの可動式ホーム柵の設置方法において、
前記分割式仮覆工板は、前記ベースプレートを覆う主覆工部と、前記主覆工部の両側方に配置された副覆工部とを備え、
前記ホーム柵設置工程は、
前記主覆工部を撤去して、前記ベースプレートの前記取付箇所に前記ホーム柵を設置する柵設置工程と、
前記柵設置工程の後に、前記ベースプレートの位置調整を行う位置調整工程と、を含むことを特徴とするプラットホームへの可動式ホーム柵の設置方法。
【請求項３】
請求項２記載のプラットホームへの可動式ホーム柵の設置方法において、
前記分割式仮覆工板の前記主覆工部は、前記ベースプレートの前記取付箇所を覆う取付箇所覆工部と、前記取付箇所覆工部の周囲に配置され、前記副覆工部に係合する周囲覆工部とを備え、
前記柵設置工程は、前記主覆工部の前記取付箇所覆工部のみを撤去して、前記ベースプレートの前記取付箇所に前記ホーム柵を設置し、
前記位置調整工程は、前記周囲覆工部を残したままの状態で前記ベースプレートの位置調整を行い、
前記第三覆工工程は、前記残りの前記分割式仮覆工板として前記周囲覆工部及び前記副覆工部を撤去することを特徴とするプラットホームへの可動式ホーム柵の設置方法。
【請求項４】
プラットホームの先端部から化粧板が撤去された後及び前記プラットホームの先端部に可動式ホーム柵のベースプレートが配置された後に、前記プラットホームの先端部に設置され、なおかつ前記ベースプレートの収容空間を有する複数の仮覆工板と、
前記ベースプレートの配置後、前記仮覆工板が撤去されると、前記プラットホームの先端部に対して設置される分割自在な分割式仮覆工板とを備え、
前記分割式仮覆工板は、前記ベースプレートを覆う主覆工部と、前記プラットホームの先端部の基準位置に固定され、当該主覆工部の両側方に配置される副覆工部とを備えることを特徴とする可動式ホーム柵の設置具セット。
【請求項５】
請求項４記載の可動式ホーム柵の設置具セットにおいて、
前記分割式仮覆工板が前記仮覆工板として用いられることを特徴とする可動式ホーム柵の設置具セット。